(57)【要約】【課題】移動通信システムにおいて、ユーザ装置に上りデータの残留セグメントが生じる場合でも、基地局における当該上りデータの送出遅延を小さくすることを可能とする技術を提供する。【解決手段】ユーザ装置と基地局とを有する移動通信システムにおける前記基地局において、前記ユーザ装置から受信する第１のプロトコルのデータの平均サイズを観測する観測手段と、前記ユーザ装置から受信する、前記第１のプロトコルのデータが分割されたセグメントを含み得る第２のプロトコルのデータのサイズと、前記平均サイズとを比較することにより、前記ユーザ装置から送信されずに残った残留セグメントの量を推定する推定手段と、前記推定手段により推定された前記残留セグメントの量に基づいて、前記ユーザ装置に対する上り送信のスケジューリングの優先度を決定する制御手段とを備える。【選択図】図１０
2016005254.tif 000002
【特許請求の範囲】
【請求項１】
ユーザ装置と基地局とを有する移動通信システムにおける前記基地局であって、
前記ユーザ装置から受信する第１のプロトコルのデータの平均サイズを観測する観測手段と、
前記ユーザ装置から受信する、前記第１のプロトコルのデータが分割されたセグメントを含み得る第２のプロトコルのデータのサイズと、前記平均サイズとを比較することにより、前記ユーザ装置から送信されずに残った残留セグメントの量を推定する推定手段と、
前記推定手段により推定された前記残留セグメントの量に基づいて、前記ユーザ装置に対する上り送信のスケジューリングの優先度を決定する制御手段と
を備えることを特徴とする基地局。
【請求項２】
前記制御手段は、前記残留セグメントの量が小さいほど、スケジューリング係数を大きくする制御を行う
ことを特徴とする請求項１に記載の基地局。
【請求項３】
前記第１のプロトコルのデータは、ＰＤＣＰ  ＰＤＵのデータであり、前記第２のプロトコルのデータは、ＲＬＣ  ＰＤＵのデータである
ことを特徴とする請求項１又は２に記載の基地局。
【請求項４】
ユーザ装置と基地局とを有する移動通信システムにおける前記ユーザ装置であって、
前記基地局に送信すべき所定のプロトコルのデータを分割した複数セグメントのうち、前記基地局に送信できずに残る残留セグメントの量が所定の閾値以下であるか否かを判定する判定手段と、
前記判定手段により、前記残留セグメントの量が前記所定の閾値以下であると判定された場合に、前記残留セグメントを、前記基地局に送信すべき他のデータよりも優先して前記基地局に送信するための制御を行う優先度制御手段と
を備えることを特徴とするユーザ装置。
【請求項５】
前記残留セグメントが発生してから、当該残留セグメントが前記基地局に送信されずに所定の期間が経過した場合に、前記基地局に当該事象を通知する通知手段
を備えることを特徴とする請求項４に記載のユーザ装置。
【請求項６】
ユーザ装置と基地局とを有する移動通信システムであって、
前記ユーザ装置は、前記基地局に送信すべき所定のプロトコルのデータを分割した複数セグメントのうち、前記基地局に送信できずに残る残留セグメントの量に関する情報を前記基地局に通知する通知手段を備え、
前記基地局は、前記ユーザ装置から受信する前記残留セグメントの量に関する情報に基づいて、前記ユーザ装置に対する上り送信のスケジューリングの優先度を決定する制御手段を備える
ことを特徴とする移動通信システム。
【請求項７】
前記所定のプロトコルのデータは、ＰＤＣＰ  ＰＤＵのデータであり、前記通知手段は、前記残留セグメントの量に関する情報をＲＬＣヘッダに格納し、当該ＲＬＣヘッダを有するＲＬＣ  ＰＤＵを前記基地局に送信する
ことを特徴とする請求項６に記載の移動通信システム。
【請求項８】
ユーザ装置と基地局とを有する移動通信システムにおける前記基地局が実行する残留セグメント送信制御方法であって、
前記ユーザ装置から受信する第１のプロトコルのデータの平均サイズを観測する観測ステップと、
前記ユーザ装置から受信する、前記第１のプロトコルのデータが分割されたセグメントを含み得る第２のプロトコルのデータのサイズと、前記平均サイズとを比較することにより、前記ユーザ装置から送信されずに残った残留セグメントの量を推定する推定ステップと、
前記推定ステップにより推定された前記残留セグメントの量に基づいて、前記ユーザ装置に対する上り送信のスケジューリングの優先度を決定する制御ステップと
を備えることを特徴とする残留セグメント送信制御方法。
【請求項９】
ユーザ装置と基地局とを有する移動通信システムにおける前記ユーザ装置が実行する残留セグメント送信制御方法であって、
前記基地局に送信すべき所定のプロトコルのデータを分割した複数セグメントのうち、前記基地局に送信できずに残る残留セグメントの量が所定の閾値以下であるか否かを判定する判定ステップと、
前記判定ステップにより、前記残留セグメントの量が前記所定の閾値以下であると判定された場合に、前記残留セグメントを、前記基地局に送信すべき他のデータよりも優先して前記基地局に送信するための制御を行う優先度制御ステップと
を備えることを特徴とする残留セグメント送信制御方法。
【請求項１０】
ユーザ装置と基地局とを有する移動通信システムが実行する残留セグメント送信制御方法であって、
前記ユーザ装置が、前記基地局に送信すべき所定のプロトコルのデータを分割した複数セグメントのうち、前記基地局に送信できずに残る残留セグメントの量に関する情報を前記基地局に通知する通知ステップと、
前記基地局が、前記ユーザ装置から受信する前記残留セグメントの量に関する情報に基づいて、前記ユーザ装置に対する上り送信のスケジューリングの優先度を決定する制御ステップと
を備えることを特徴とする残留セグメント送信制御方法。
【発明の詳細な説明】
【技術分野】
【０００１】
本発明は、ＬＴＥ等の移動通信システムに関するものであり、特に、データ送信のスケジューリングに関連するものである。
【背景技術】
【０００２】
ＬＴＥにおいて、ユーザ装置ＵＥは基地局ｅＮＢに送信すべき上り（ＵＬ）データが発生した場合、図１に示す手順で基地局ｅＮＢに対して、上りデータのバッファ滞留量を示すＢＳＲ（Ｂｕｆｆｅｒ  Ｓｔａｔｕｓ  Ｒｅｐｏｒｔ）を送信することで、スケジューリングの要求を行うことが規定されている（非特許文献１）。
【０００３】
図１に示すステップ１において、ユーザ装置ＵＥが個別のＵＬリソース（ＰＵＣＣＨ）を持っている場合、スケジューリング要求（ＳＲ：Ｓｃｈｅｄｕｌｉｎｇ  Ｒｅｑｕｅｓｔ）を基地局ｅＮＢに送信する。上記個別のＵＬリソースを保持していない場合には、Ｒａｎｄｏｍ  Ａｃｃｅｓｓ（ＲＡ）手順を起動する。
【０００４】
ステップ２において、ユーザ装置ＵＥは、ステップ１で送信したスケジューリング要求に対して、割り当てリソース情報を含むＵＬ  ｇｒａｎｔを受信し、対応するＰＵＳＣＨにてＢＳＲを送信する。ＲＡ手順を行った場合には、ＲＡ  ｒｅｓｐｏｎｓｅでＵＬ  ｇｒａｎｔが指示される。
【０００５】
ユーザ装置ＵＥが基地局ｅＮＢに対して送信するＢＳＲは、データが存在する論理チャネルグループ（Ｌｏｇｉｃａｌ  Ｃｈａｎｎｅｌ  Ｇｒｏｕｐ：ＬＣＧ）毎にバッファ滞留量を算出して報告するものである。つまり、図２に示すように、ＢＳＲにより、１つ又は複数の論理チャネル（ＬＣＨ）からなるＬＣＧ毎に、バッファ滞留量を報告するのである。ＢＳＲを送信するトリガについても非特許文献１に規定されている。
【先行技術文献】
【非特許文献】
【０００６】
【非特許文献１】3GPP TS 36.321 V12.1.0 (2014-03)
【発明の概要】
【発明が解決しようとする課題】
【０００７】
ＬＴＥにおける基地局ｅＮＢとユーザ装置ＵＥ間のＵ−Ｐｌａｎｅの無線インタフェースプロトコルは、ＰＨＹ（Ｐｈｙｓｉｃａｌ）、ＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ）、ＰＤＣＰ（Ｐａｃｋｅｔ  Ｄａｔａ  Ｃｏｎｖｅｒｇｅｎｃｅ  Ｐｒｏｔｏｃｏｌ）により構成される。
【０００８】
これらのうち、ＲＬＣの送信側では、ＰＤＣＰ  ＰＤＵを適応的に分割（Ｓｅｇｍｅｎｔａｔｉｏｎ）、統合（Ｃｏｎｃａｔｅｎａｔｉｏｎ）することで、ＴＴＩ毎のトランスポートブロック（ＴＢ）サイズに見合った長さのＲＬＣ  ＰＤＵを生成して、ＭＡＣサブレイヤに渡す。また、受信側では、対応するＰＤＣＰ  ＰＤＵの再構築を行う。
【０００９】
この動作の例を図３を参照して説明する。図３は、ＬＴＥにおけるプロトコル間のデータのフローを示す図である。図３において、ＳＤＵ（Ｓｅｒｖｉｃｅ  Ｄａｔａ  Ｕｎｉｔ）は、上位レイヤとやりとりするブロックであり、ＰＤＵ（Ｐｒｏｔｏｃｏｌ  Ｄａｔａ  Ｕｎｉｔ）は、下位レイヤとやりとりするブロックである。
【００１０】
図３において、ＡとＢで示すＲＬＣ  ＳＤＵ（それぞれそ上位のＰＤＣＰ  ＰＤＵに対応）は、１つのＲＬＣ  ＰＤＵ（ＬＣＨ１）に統合され、ＭＡＣを介してトランスポートブロックに格納される。Ｃで示すＲＬＣ  ＳＤＵ（その上位のＰＤＣＰ  ＰＤＵに対応）は、２つのＲＬＣ  ＰＤＵ（ＬＣＨ２）に分割されて、一方のセグメント（ｓｅｇｍｅｎｔ）はトランスポートブロックに格納され、他方のセグメントは残る。これを残りセグメントと呼ぶ。残留セグメントと呼んでもよい。トランスポートブロックのサイズは、無線品質等に基づき基地局ｅＮＢから割り当てられたリソース量に基づくものであり、上記のように、ＲＬＣ  ＳＤＵ（その上位のＰＤＣＰ  ＰＤＵ）が１回のＴＴＩのトランスポートブロックで送信しきれない場合が生じる。
【００１１】
すなわち、現状のＢＳＲ制御においては、複数のＬＣＨが１つのＬＣＧにマッピングされているため、トランスポートブロックのサイズによっては残留セグメントが発生し、受信側では、折角組み上げられるはずのＵＬ  ＰＤＣＰ  ＰＤＵの受信が遅延する可能性がある。
【００１２】
このような事象発生の例を図４を参照して説明する。図４に示すように、ユーザ装置ＵＥにおいて、ＬＣＨ＃Ａについて８００ｂｙｔｅのデータが発生し、ＬＣＨ＃Ｂについて２５０ｂｙｔｅのデータが発生したとする。また、ここでは、ＬＣＨ＃ＡのほうがＬＣＨ＃Ｂよりも優先度が高いものとする。
【００１３】
ユーザ装置ＵＥは、ＢＳＲを送信することで、ステップ１１において、１０００ｂｙｔｅ分のリソース割り当てを受ける。ユーザ装置ＵＥは、優先度の高いＬＣＨ＃Ａの８００ｂｙｔｅと、ＬＣＨ＃Ｂの２５０ｂｙｔｅのうちの２００ｂｙｔｅとからなる１０００ｂｙｔｅのデータを基地局ｅＮＢに送信する（ステップ１２）。
【００１４】
基地局ｅＮＢは、ＬＣＨ＃Ａに対応するデータを全て受信しているので、ＬＣＨ＃Ａに対応するＰＤＣＰ  ＰＤＵを得ることができるが、ＬＣＨ＃Ｂに対応するデータは一部しか受信していないため、このタイミングでは、ＬＣＨ＃Ｂに対応するＲＬＣ  ＳＤＵ（ＰＤＣＰ  ＰＤＵ）を組み上げることができない。
【００１５】
ステップ１３において、ユーザ装置ＵＥは、残り５０ｂｙｔｅ分のリソース割り当てを受けて、ステップ１４で５０ｂｙｔｅ分のデータを送信する。これにより、基地局ｅＮＢは、ＬＣＨ＃ＢのＰＤＣＰ  ＰＤＵを組み上げることができる。図４に記載のとおり、ＬＣＨ＃ＢのＵＬデータについては、コアネットワーク等への送出に遅延が生じてしまう。
【００１６】
特に音声のように遅延要求の厳しいサービスでは、できるだけ早期にＰＤＣＰ  ＰＤＵ（ＲＬＣ  ＳＤＵ）を組み上げることが望ましいところ、上記の例においてＬＣＨ＃Ｂが音声データを運ぶチャネルであるとすると、音声に遅延が発生し、好ましくない。
【００１７】
本発明は上記の点に鑑みてなされたものであり、ユーザ装置と基地局とを有する移動通信システムにおいて、ユーザ装置に上りデータの残留セグメントが生じる場合でも、基地局における当該上りデータの送出遅延を小さくすることを可能とする技術を提供することを目的とする。
【課題を解決するための手段】
【００１８】
本発明の実施の形態によれば、ユーザ装置と基地局とを有する移動通信システムにおける前記基地局であって、
前記ユーザ装置から受信する第１のプロトコルのデータの平均サイズを観測する観測手段と、
前記ユーザ装置から受信する、前記第１のプロトコルのデータが分割されたセグメントを含み得る第２のプロトコルのデータのサイズと、前記平均サイズとを比較することにより、前記ユーザ装置から送信されずに残った残留セグメントの量を推定する推定手段と、
前記推定手段により推定された前記残留セグメントの量に基づいて、前記ユーザ装置に対する上り送信のスケジューリングの優先度を決定する制御手段とを備える基地局が提供される。
【００１９】
また、本発明の実施の形態によれば、ユーザ装置と基地局とを有する移動通信システムにおける前記ユーザ装置であって、
前記基地局に送信すべき所定のプロトコルのデータを分割した複数セグメントのうち、前記基地局に送信できずに残る残留セグメントの量が所定の閾値以下であるか否かを判定する判定手段と、
前記判定手段により、前記残留セグメントの量が前記所定の閾値以下であると判定された場合に、前記残留セグメントを、前記基地局に送信すべき他のデータよりも優先して前記基地局に送信するための制御を行う優先度制御手段とを備えるユーザ装置が提供される。
【００２０】
また、本発明の実施の形態によれば、ユーザ装置と基地局とを有する移動通信システムであって、
前記ユーザ装置は、前記基地局に送信すべき所定のプロトコルのデータを分割した複数セグメントのうち、前記基地局に送信できずに残る残留セグメントの量に関する情報を前記基地局に通知する通知手段を備え、
前記基地局は、前記ユーザ装置から受信する前記残留セグメントの量に関する情報に基づいて、前記ユーザ装置に対する上り送信のスケジューリングの優先度を決定する制御手段を備える移動通信システムが提供される。
【００２１】
また、本発明の実施の形態によれば、ユーザ装置と基地局とを有する移動通信システムにおける前記基地局が実行する残留セグメント送信制御方法であって、
前記ユーザ装置から受信する第１のプロトコルのデータの平均サイズを観測する観測ステップと、
前記ユーザ装置から受信する、前記第１のプロトコルのデータが分割されたセグメントを含み得る第２のプロトコルのデータのサイズと、前記平均サイズとを比較することにより、前記ユーザ装置から送信されずに残った残留セグメントの量を推定する推定ステップと、
前記推定ステップにより推定された前記残留セグメントの量に基づいて、前記ユーザ装置に対する上り送信のスケジューリングの優先度を決定する制御ステップとを備える残留セグメント送信制御方法が提供される。
【００２２】
また、本発明の実施の形態によれば、ユーザ装置と基地局とを有する移動通信システムにおける前記ユーザ装置が実行する残留セグメント送信制御方法であって、
前記基地局に送信すべき所定のプロトコルのデータを分割した複数セグメントのうち、前記基地局に送信できずに残る残留セグメントの量が所定の閾値以下であるか否かを判定する判定ステップと、
前記判定ステップにより、前記残留セグメントの量が前記所定の閾値以下であると判定された場合に、前記残留セグメントを、前記基地局に送信すべき他のデータよりも優先して前記基地局に送信するための制御を行う優先度制御ステップとを備える残留セグメント送信制御方法が提供される。
【００２３】
また、本発明の実施の形態によれば、ユーザ装置と基地局とを有する移動通信システムが実行する残留セグメント送信制御方法であって、
前記ユーザ装置が、前記基地局に送信すべき所定のプロトコルのデータを分割した複数セグメントのうち、前記基地局に送信できずに残る残留セグメントの量に関する情報を前記基地局に通知する通知ステップと、
前記基地局が、前記ユーザ装置から受信する前記残留セグメントの量に関する情報に基づいて、前記ユーザ装置に対する上り送信のスケジューリングの優先度を決定する制御ステップとを備える残留セグメント送信制御方法が提供される。
【発明の効果】
【００２４】
本発明の実施の形態によれば、ユーザ装置と基地局とを有する移動通信システムにおいて、ユーザ装置に上りデータの残留セグメントが生じる場合でも、基地局における当該上りデータの送出遅延を小さくすることを可能とする技術が提供される。
【図面の簡単な説明】
【００２５】
【図１】ＬＴＥにおけるＢＳＲ制御の概要を説明するための図である。
【図２】ＬＣＧ毎にバッファ滞留量を報告することを説明するための図である。
【図３】ＲＬＣ  ＳＤＵ（ＰＤＣＰ  ＰＤＵ）の分割・統合を説明するための図である。
【図４】課題を説明するための図である。
【図５】本発明の実施の形態における移動通信システムの構成図である。
【図６】残りセグメント量の検出方法例１を説明するための図である。
【図７】ステップ１０２における比較処理の例を説明するための図である。
【図８】残りセグメント量の検出方法例２を説明するための図である。
【図９】残りセグメント量の検出方法例２におけるユーザ装置側の処理を説明するための図である。
【図１０】割り当て優先度向上制御例１を説明するための図である。
【図１１】割り当て優先度向上制御例２を説明するための図である。
【図１２】割り当て優先度向上制御例２を説明するための図である。
【図１３】基地局ｅＮＢの機能構成図である。
【図１４】基地局ｅＮＢの動作例を示すフローチャートである。
【図１５】ユーザ装置ＵＥの機能構成図である。
【図１６】ユーザ装置ＵＥの動作例を示すフローチャートである。
【発明を実施するための形態】
【００２６】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムの方式は、ＬＴＥの方式であるが、本発明は、ＬＴＥ以外の方式の移動通信システムにも適用可能である。
【００２７】
本願における「ＬＴＥ」の用語は、３ＧＰＰ規格の特定のリリースに限定されず、ＬＴＥ（ＬＴＥ−Ａｄｖａｎｃｅｄを含む）に対応する全てのリリースを含む意味で使用する。また、残りセグメント量等における「量」は、バイト値等のサイズの他に、全体の中の割合のようなサイズ以外の意味も含むものである。
【００２８】
（システム全体構成）
図５に本発明の実施の形態に係る移動通信システムの構成図を示す。本実施の形態に係る移動通信システムは、ＬＴＥ方式の移動通信システムであり、図５に示すように、ユーザ装置ＵＥ、及び基地局ｅＮＢを含む。ユーザ装置ＵＥは、基地局ｅＮＢが形成するセルに在圏し、基地局ｅＮＢと無線で通信を行う。また、ユーザ装置ＵＥと基地局ｅＮＢとの間のデータ送受信において、例えば図３に示すように各プロトコルのデータが構成される。
【００２９】
本実施の形態では、このシステム構成において、基地局ｅＮＢはユーザ装置ＵＥ内における残りセグメント（残留セグメント）のデータ量（残りセグメント量）を把握し、残りセグメント量が小さい場合には、当該残りセグメントのデータの優先度を向上させ、より早期にＰＤＣＰ  ＰＤＵ（パケットの例）を組み上げられるようにしている。
【００３０】
以下、ユーザ装置ＵＥの残りセグメント量の検出方法、及び、基地局ｅＮＢ／ユーザ装置ＵＥにおける割り当て優先度向上制御について説明する。なお、本実施の形態における「残りセグメント」は、ＰＤＣＰ  ＰＤＵ（＝ＲＬＣ  ＳＤＵ）が分割されて残るほうのＲＬＣ  ＳＤＵをペイロードに持つＲＬＣ  ＰＤＵとしているが、説明を分かり良くするために、ＲＬＣ  ＰＤＵはＲＬＣ  ＳＤＵと同じ大きさであると見なして説明を行っている。ヘッダ量については適宜調整すればよい。
【００３１】
（基地局ｅＮＢにおける残りセグメント量の検出方法例１）
図６を参照して、基地局ｅＮＢにおける残りセグメント量の検出方法例１（以下、"検出方法例１"と呼ぶ）を説明する。検出方法例１では、基地局ｅＮＢは、ユーザ装置ＵＥからデータを受信し、組み上げられたＰＤＣＰ  ＰＤＵ（＝ＲＬＣ  ＳＤＵ）のサイズを観測し、その平均値を求める（ステップ１０１）。ここで観測するＰＤＣＰ  ＰＤＵのサイズとは、基本的に１回のトランスポートブロックで受信するＰＤＣＰ  ＰＤＵの合計のサイズであるが、図３に示すような場合は、Ａで示すＲＬＣ  ＳＤＵ（ＰＤＣＰ  ＰＤＵ）、Ｂで示すＲＬＣ  ＳＤＵ（ＰＤＣＰ  ＰＤＵ）、Ｃで示すＲＬＣ  ＳＤＵ（ＰＤＣＰ  ＰＤＵ）の合計のサイズとなる。つまり、残りセグメントがあった場合は、先に受信したセグメントと後に受信したセグメントから組み上げられたＰＤＣＰ  ＰＤＵのサイズを観測対象とする。
【００３２】
なお、実音声と背景雑音等、ＰＤＣＰ  ＰＤＵのサイズが大きく変化する場合には、実音声に対応する（大きな）ＰＤＣＰ  ＰＤＵのサイズを観測対象（平均値算出対象）とし、後述する比較処理においても、例えば、実音声に対応すると推定される所定の大きさ以上のＲＬＣ  ＰＤＵを比較対象としてもよい。また、実音声通信時のＰＤＣＰ  ＰＤＵのサイズについて、観測結果等から特定の値に決定し、以降、平均サイズの観測を行うことなく、この特定の値を平均サイズと見なして比較に用いてもよい。
【００３３】
平均ＰＤＣＰ  ＰＤＵサイズが算出された後、基地局ｅＮＢは、ユーザ装置ＵＥからデータを受信すると、当該平均ＰＤＣＰ  ＰＤＵサイズと、１回のトランスポートブロックで受信したデータにおけるＲＬＣ  ＰＤＵサイズとを比較することで、残りセグメント量を算出（推定）する（ステップ１０２）。トランスポートブロックに複数のＲＬＣ  ＰＤＵが含まれる場合は、それらの合計のサイズがＲＬＣ  ＰＤＵサイズとなる。
【００３４】
ステップ１０２における比較・残りセグメント量算出処理の例を図７に示す。図７に示すように、平均ＰＤＣＰ  ＰＤＵサイズが１０００ｂｙｔｅであり、受信したＲＬＣ  ＰＤＵサイズが８００ｂｙｔｅであるとすると、１０００−８００＝２００ｂｙｔｅが残りセグメント量であると推定できる。なお、これは一例であり、ヘッダサイズ等を考慮して推定を行ってもよい。
【００３５】
ステップ１０１におけるＰＤＣＰ  ＰＤＵサイズの平均値の算出について、常時、所定時間毎（周期的）に平均を算出することとしてもよいし、特定のベアラ（例：音声のベアラ）のデータを受信したことをトリガとして所定時間毎に算出することとしてもよい。また、ステップ１０２における比較処理は、トランスポートブロックに特定のベアラもしくは特定のＬＣＨのデータを含む場合にのみ行うこととしてもよい。特定のベアラもしくは特定のＬＣＨとは、例えば、音声に対応するベアラもしくは音声に対応するＬＣＨである。
【００３６】
（基地局ｅＮＢにおける残りセグメント量の検出方法例２）
図８を参照して、基地局ｅＮＢにおける残りセグメント量の検出方法例２（以下、"検出方法例２"と呼ぶ）を説明する。
【００３７】
検出方法例２では、１ＴＴＩにおいて、ユーザ装置ＵＥは最後にトランスポートブロックに詰め込もうとしたＰＤＣＰ  ＰＤＵについて、当該トランスポートブロックで送信できないセグメントが生じた場合に、当該ＰＤＣＰ  ＰＤＵについて、どの程度の量のセグメントデータが残っているかを示す情報を基地局ｅＮＢに通知する（ステップ２０１）。通知を受けた基地局ｅＮＢは、通知された情報により、残りセグメント量を把握（検出）できる。
【００３８】
ここでの通知は、例えば、ＲＬＣヘッダ内に、当該情報を含め、当該ＲＬＣヘッダを持つＲＬＣ  ＰＤＵを送信することで行うことができる。残りセグメント量を示す情報は、サイズ（バイト値）であってもよいし、残りセグメントのサイズが、全体（セグメントが生じた１つのＰＤＣＰ  ＰＤＵの全体）の半分よりも大きいか小さいか（又は、半分以上か以下か）を示す情報であってもよいし、残りセグメントのサイズのＰＤＣＰ  ＰＤＵに対する割合であってもよい。半分よりも大きいか小さいかを通知する場合、１ｂｉｔで通知することができる。
【００３９】
図９に、検出方法例２におけるユーザ装置ＵＥ側の処理内容のイメージを示す。図９（ａ）に示すように、ユーザ装置ＵＥにおいて上位レイヤで発生したデータをトランスポートブロックに格納して送信する際に、ＰＤＣＰ  ＰＤＵ１とＰＤＣＰ  ＰＤＵ２は、それぞれ全体をトランスポートブロックに格納できたものとする。しかし、ＰＤＣＰ  ＰＤＵ３については残りセグメントが発生し、ＰＤＣＰ  ＰＤＵ３を構成する分割されたＲＬＣ  ＰＤＵ１とＲＬＣ  ＰＤＵ２のうちのＲＬＣ  ＰＤＵ１のみをトランスポートブロックに格納できたものとする。
【００４０】
この場合、図９（ｂ）に示すように、ユーザ装置ＵＥは、例えば、セグメントのうちの、トランスポートブロックに格納するほうのＲＬＣ  ＰＤＵ１のＲＬＣヘッダに残りセグメント量の情報を含めることにより、残りセグメント量の情報を基地局ｅＮＢに通知する。
【００４１】
以下では、上記のいずれかの方法により検出された残りセグメント量に基づいて、ユーザ装置ＵＥが、残りセグメントを優先的に送信できるようにする割り当て優先度向上制御例を説明する。
【００４２】
（割り当て優先度向上制御例１）
図１０を参照して割り当て優先度向上制御例１を説明する。割り当て優先度向上制御例１における制御は、基地局ｅＮＢにおいて実行されるものである。
【００４３】
図１０に示すとおり、割り当て優先度向上制御例１において、基地局ｅＮＢは、複数のユーザ装置ＵＥ（図１０では、ＵＥ１、ＵＥ２、ＵＥ３）に対して上りリソースの割り当て（スケジューリング）を行う際に、残りセグメント量に基づき優先度を上げてリソース割り当てを行うこととする。図１０では、残りセグメントがあり、その量が小さいほど優先度を上げるようにする制御を行い、結果として、ＵＥ１に割り当てが行われた例を示している。残りセグメントがあり、その量が小さいほど優先度を上げる制御については、残りセグメント量が所定の閾値よりも小さい（又は所定の閾値以下の）ユーザ装置ＵＥに対してのみ行うこととしてもよい。
【００４４】
一般的に、基地局ｅＮＢにおいては、ユーザ装置ＵＥ間の公平性を考慮して、チャネル品質やデータレート等に基づいて各ユーザ装置ＵＥのスケジューリング係数を算出し、スケジューリング係数が最大のユーザ装置ＵＥを選択してリソースを割り当てる動作を行う。
【００４５】
割り当て優先度向上制御例１では、例えば、各ユーザ装置ＵＥにおける残りセグメントサイズの割合（セグメントの元のＰＤＣＰ  ＰＤＵのサイズに対する割合）の逆数をスケジューリング係数に乗算することで、スケジューリング係数を補正し、補正後のスケジューリング係数に基づきスケジューリングを行う。例えば、ＵＥ１、ＵＥ２、ＵＥ３の補正前のスケジューリング係数がＳ１、Ｓ２、Ｓ３であるとし、ＵＥ１、ＵＥ２、ＵＥ３の残りセグメントの割合がそれぞれ０．１、０、０．２であるとする。０は残りセグメントがないことを意味する。この場合、ＵＥ１、ＵＥ２、ＵＥ３の補正後のスケジューリング係数はそれぞれＳ１×１０、Ｓ２、Ｓ３×５となり、仮にＳ１、Ｓ２、Ｓ３が同じであるとすれば、残りセグメントが存在し、その量が最少のＵＥ１のスケジューリング係数が最大となり、ＵＥ１が選択されることになる。なお、上記の処理において、「スケジューリング係数」を優先度と見なしてもよいし、「逆数」を優先度と見なしてもよい。
【００４６】
上記のような制御を行わない場合、残りセグメント量が少ないＵＥに対しては、基地局ｅＮＢは送信データ量が少ないと認識してスケジューリングの優先度を下げる可能性があるところ、上記のように残りセグメント量が少ないほど優先度を上げる制御を行うことで、残りセグメント量が少ない場合でも、上りリソースを割り当てて、残りセグメントをユーザ装置ＵＥに送信させ、基地局ｅＮＢが受信することで、早期にＰＤＣＰ  ＰＤＵを組み上げることが可能となる。結果として、基地局ｅＮＢからコアネットワーク等へのＵＬデータ送出の遅延を、この制御を行わない場合よりも小さくすることができる。
【００４７】
なお、上記の制御は一例に過ぎない。例えば、残りセグメント量が所定の閾値よりも小さいユーザ装置ＵＥに対して、所定の割合だけ優先度を向上させることとしてもよい。つまり、所定の割合だけ、スケジューリング係数を増加させることとしてもよい。
【００４８】
（割り当て優先度向上制御例２）
次に、割り当て優先度向上制御例２を説明する。割り当て優先度向上制御例２における制御は、ユーザ装置ＵＥにおいて実行されるものである。
【００４９】
割り当て優先度向上制御例２では、ユーザ装置ＵＥにおけるＰＤＣＰ  ＰＤＵの残りセグメント（ＲＬＣ  ＰＤＵ）が存在し、その量が所定の閾値以下の場合に（又は、所定の閾値よりも小さい場合に）、当該残りセグメントが早期に送信されるようにリソース割り当ての優先度を制御するものである。
【００５０】
図１１を参照して制御の一例を説明する。図１１の例では、ユーザ装置ＵＥにベアラＡとベアラＢが設定されており、ベアラＡはベアラＢよりも優先度が高いとする。
【００５１】
図１１に示すように、時刻Ｔ１において、ベアラＡのデータであるＰＤＣＰ  ＰＤＵ１が生成され、ベアラＢのデータであるＰＤＣＰ  ＰＤＵ２が生成され、ＰＤＣＰ  ＰＤＵ１と、ＰＤＣＰ  ＰＤＵ２の一部とが当該タイミングのトランスポートブロックにより基地局ｅＮＢに送信される。つまり、ＰＤＣＰ  ＰＤＵ２のセグメントがＴ１において残る。当該セグメント量は所定の閾値以下である。
【００５２】
時刻Ｔ２において、ベアラＡの新規のデータであるＰＤＣＰ  ＰＤＵ３が生成されたものとする。また、ＰＤＣＰ  ＰＤＵ２の残りセグメントと、ＰＤＣＰ  ＰＤＵ３のうちのいずれか１つを送信するのに十分であるが、両方は送信できないサイズのトランスポートブロックが割り当てられたものとする。
【００５３】
このとき、優先度向上制御を行わなければ、優先度の高いベアラＡのＰＤＣＰ  ＰＤＵ３が先に送信されることになる。そこで、本実施の形態では、残りセグメントに係るベアラの優先度を、他のベアラの優先度よりも高くすることで、残りセグメントが先に（優先的に）トランスポートブロックに割り当てられるようにする。
【００５４】
このような制御は、例えば、残りセグメントのベアラを、予め定めた最高の優先度に上げることとしてもよいし、残りセグメントのベアラと優先度が同じか高い他のベアラがある場合にのみ、残りセグメントのベアラの優先度を、当該他のベアラの優先度よりも高い優先度とすることとしてもよい。
【００５５】
また、例えば、図１１の例で、仮に、全てのデータが同じベアラＢであるとした場合を考える。この場合でも、残りセグメントを優先的にトランスポートブロックに割り当て、早期に基地局ｅＮＢに送信できるようにする。例えば、図１１（ベアラＡをベアラＢとする場合）において、仮にＰＤＣＰ  ＰＤＵ３を、新規データではなく、ＲＬＣ再送データであるとすると、本実施に形態に係る制御を行わない場合は、再送データの優先度が高いために、ＰＤＣＰ  ＰＤＵ３が先に送信されることになる。そこで、本実施の形態では、残りセグメントを他のデータよりも優先度を上げ、先に送信させることとしている。
【００５６】
上記のような制御を行わない場合、あるベアラの残りセグメント量が少ない場合、ユーザ装置ＵＥは送信データ量が少ないと認識してＵＬ送信割り当ての優先度を下げる可能性があるところ、上記のように残りセグメント量が少ない場合に、優先度を上げる制御を行うことで、残りセグメント量が少ない場合でも、残りセグメントを優先的に基地局ｅＮＢに送信し、基地局ｅＮＢが受信することで、早期にＰＤＣＰ  ＰＤＵを組み上げることが可能となる。結果として、基地局ｅＮＢからコアネットワーク等へのＵＬデータ送出の遅延を、この制御を行わない場合よりも小さくすることができる。
【００５７】
割り当て優先度向上制御例２において、上記のように残りセグメントの優先度を上げる制御に加えて、もしくは、優先度を上げる制御とは別に、次の制御を行ってもよい。
【００５８】
この制御を図１２を参照して説明する。ステップ３０１でユーザ装置ＵＥにおいて残りセグメントが発生する。ユーザ装置ＵＥは、所定期間を計測するタイマを起動し、残りセグメントの送信のためのリソース割り当てがされないままタイマが満了するか否かを判断する。つまり、残りセグメントの送信がされないまま、所定期間が経過するか否かを判断する。
【００５９】
図１２の例では、ユーザ装置ＵＥは、残りセグメントの送信のためのリソース割り当てがされないままタイマが満了したことを検知し（ステップ３０２）、当該検知をトリガとして、その事象（残りセグメントの送信のためのリソース割り当てがされないまま所定期間が経過したこと）を基地局ｅＮＢに通知する（ステップ３０３）。ここでの通知は、ＢＳＲを送信することで行ってもよいし、新たなＭＡＣ  ＣＥ（Ｃｏｎｔｒｏｌ  Ｅｌｅｍｅｎｔ）を定義し、当該ＭＡＣ  ＣＥを送信することで行うこととしてもよい。通知を受けた基地局ｅＮＢでは、例えば、ユーザ装置ＵＥに所定期間未送信のデータがあることを検知し、当該データを送信させるために、ユーザ装置ＵＥに対してＵＬリソースの割り当てを実施する。
【００６０】
（装置構成、動作フロー）
＜基地局ｅＮＢ＞
図１３に、本発明の実施の形態における基地局ｅＮＢの機能構成図を示す。図１３に示すように、本実施の形態の基地局ｅＮＢは、ＤＬ信号送信部１０１、ＵＬ信号受信部１０２、スケジューリング部１０３、優先度決定部１０４、残りセグメント量検出部１０５を有する。
【００６１】
ＤＬ信号送信部１０１は、送信情報から無線信号を生成し、ユーザ装置ＵＥに送信する。ＵＬ信号受信部１０２は、ユーザ装置ＵＥから無線信号を受信し、無線信号から情報を抽出する。ＤＬ信号送信部１０１は、ユーザ装置ＵＥに送信するデータを一時的に格納するＤＬバッファを備える。ＵＬ信号受信部１０２は、ユーザ装置ＵＥから受信したデータを一時的に格納するＵＬバッファを備える。
【００６２】
スケジューリング部１０３は、優先度決定部１０４により決定されたユーザ装置ＵＥの優先度に応じて、スケジューリング（リソースを割り当てるＵＥの選択）を行う。優先度決定部１０４は、残りセグメント量検出部１０５により検出されたユーザ装置ＵＥの残りセグメント量に基づき、当該ＵＥについての優先度を決定する。残りセグメント量検出部１０５は、これまでに説明したいずれかの方法を用いて、ユーザ装置ＵＥ毎に残りセグメント量を検出する。
【００６３】
図１４を参照して、図１３に示すように構成される基地局ｅＮＢの動作例を説明する。
【００６４】
ここでは、例えば、基地局ｅＮＢの残りセグメント量検出部１０５が、ユーザ装置ＵＥから受信するデータの平均ＰＤＣＰ  ＰＤＵサイズを算出し、メモリに保持しているものとする。ユーザ装置ＵＥから残りセグメント量の情報を受信する場合は、下記のように比較処理を行うことなく、当該情報を使用して残りセグメント量を把握してもよい。
【００６５】
図１４において、基地局ｅＮＢがＵＬ信号受信部１０２によりＲＬＣ  ＰＤＵを受信し（ステップ４０１）、残りセグメント量検出部１０５は、当該ＲＬＣ  ＰＤＵのサイズと、保持している平均ＰＤＣＰ  ＰＤＵサイズとを比較することにより残りセグメント量を推定する。
【００６６】
本例では、優先度決定部１０４が所定の閾値を保持しており、優先度決定部１０４は、残りセグメント量検出部１０５により算出された残りセグメント量が当該所定の閾値よりも小さいか否か（又は、所定の閾値以下か否か）を判定する（ステップ４０２）。なお、ここでの残りセグメント量は、バイト値であってもよいし、当該セグメントの元のＰＤＣＰ  ＰＤＵのサイズに対する残りセグメントの割合であってもよい。
【００６７】
ステップ４０２における判定の結果、残りセグメント量が所定の閾値よりも小さい場合（ステップ４０２のＹｅｓ）、優先度決定部１０４は、当該ユーザ装置ＵＥの優先度を上げ、上げた優先度をスケジューリング部１０３に通知する（ステップ４０３）。スケジューリング部１０３では、当該ユーザ装置ＵＥについては、当該優先度に基づきスケジューリングを行う。ステップ４０３において優先度を上げるとは、例えば、残りセグメント量に基づき優先度を上げない場合の優先度を１としたときに、予め定めた割合だけ１を増加させることとしてもよいし、残りセグメント量をＰＤＣＰ  ＰＤＵに対する割合として、その割合の逆数を１に乗算することとしてもよい。スケジューリング部１０３では、例えば、残りセグメント量を考慮しないで算出されたスケジューリング係数に、優先度決定部１０４で算出された優先度を乗算することでスケジューリング（リソース割り当てを行うＵＥの選択）を行う。
【００６８】
＜ユーザ装置ＵＥ＞
図１５に、本発明の実施の形態におけるユーザ装置ＵＥの機能構成図を示す。図１５に示すように、本実施の形態のユーザ装置ＵＥは、ＵＬ信号送信部２０１、ＤＬ信号受信部２０２、残りセグメント量判定部２０３、残りセグメント情報通知部２０４、優先度変更部２０５を有する。
【００６９】
ＵＬ信号送信部２０１は、送信情報から無線信号を生成し、基地局ｅＮＢに送信する。ＤＬ信号受信部２０２は、基地局ｅＮＢから無線信号を受信し、無線信号から情報を抽出する。また、ＵＬ信号送信部２０１はＵＬバッファを有し、ＤＬ信号受信部２０２はＤＬバッファを有する。
【００７０】
残りセグメント量判定部２０３は、残りセグメントの量が所定の閾値以下であるかどうか（又は、所定の閾値より小さいかどうか）の判定を行う。ここでの残りセグメント量は、バイト値であってもよいし、当該セグメントの元のＰＤＣＰ  ＰＤＵのサイズに対する残りセグメントの割合であってもよい。残りセグメント情報通知部２０４は、前述したように、例えばＲＬＣヘッダを用いて残りセグメント量の情報を基地局ｅＮＢに通知する。優先度変更部２０５は、残りセグメント量が所定の閾値以下である残りセグメントについて、割り当ての優先度を上げる制御を行う。
【００７１】
図１６を参照して、図１５に示すように構成されるユーザ装置ＵＥの動作例を説明する。この動作例では、残りセグメント量の基地局ｅＮＢへの通知と、残りセグメントの優先送信制御の両方を行うこととしている。ただし、両方行うことは必須ではなく、どちらか一方を行うこととしてもよい。例えば、残りセグメント量の基地局ｅＮＢへの通知のみを行う場合でも、基地局ｅＮＢにおいて優先度向上制御を行うことで、課題を解決できる。
【００７２】
ステップ５０１において、ユーザ装置ＵＥの残りセグメント量判定部２０３は、ＰＤＣＰ  ＰＤＵの残りセグメントが発生したかどうかを判定し、残りセグメントが発生している場合は、その量を取得して、その量を示す情報を例えばＲＬＣヘッダに入れて基地局ｅＮＢに通知する（ステップ５０２）。また、残りセグメント量判定部２０３は所定の閾値を保持しており、残りセグメント量が当該所定の閾値以下であるか否かを判定する（ステップ５０３）。
【００７３】
残りセグメント量が当該所定の閾値以下である場合、優先度変更部２０５は、当該残りセグメントのベアラの優先度を一時的に上げ、ＵＬ信号送信部２０１は、当該上げられた優先度に基づいて、残りセグメントを他のデータよりも先にトランスポートブロックに詰めて基地局ｅＮＢへの送信を行う（ステップ５０４）。なお、残りセグメントの送信処理が終わると、上げられた優先度は元に戻される。
【００７４】
また、残りセグメント情報通知部２０４が、残りセグメント発生から、ＵＬ送信の割り当てなく所定期間が経過することを計測するタイマを備え、図１２に示すように、タイマ満了をトリガに基地局ｅＮＢへの報告をする制御を行うこととしてもよい。
【００７５】
なお、図１３、図１５に示す装置の構成（機能区分）は一例に過ぎない。本実施の形態で説明する処理を実現できるのであれば、その実装方法（具体的な機能の配置等）は、特定の実装方法に限定されない。例えば、本実施の形態のユーザ装置と基地局は、下記のような手段からなる装置として構成することもできる。
【００７６】
すなわち、本実施の形態により、ユーザ装置と基地局とを有する移動通信システムにおける前記基地局であって、前記ユーザ装置から受信する第１のプロトコルのデータの平均サイズを観測する観測手段と、前記ユーザ装置から受信する、前記第１のプロトコルのデータが分割されたセグメントを含み得る第２のプロトコルのデータのサイズと、前記平均サイズとを比較することにより、前記ユーザ装置から送信されずに残った残留セグメントの量を推定する推定手段と、前記推定手段により推定された前記残留セグメントの量に基づいて、前記ユーザ装置に対する上り送信のスケジューリングの優先度を決定する制御手段とを備える基地局が提供される。
【００７７】
前記制御手段は、例えば、前記残留セグメントの量が小さいほど、スケジューリング係数を大きくする制御を行う。通常、データ量が小さければ、スケジューリングの優先度が下がる可能性があるが、本制御を行うことで、小さな残留セグメントを優先的に送信させることができ、本制御を行わない場合に比べて、ＵＬデータ送出の遅延を小さくできる。
【００７８】
例えば、前記第１のプロトコルのデータは、ＰＤＣＰ  ＰＤＵのデータであり、前記第２のプロトコルのデータは、ＲＬＣ  ＰＤＵのデータである。この構成により、ＬＴＥのユーザ装置ＵＥにおいてセグメントが発生する場合において、ＵＬデータ送出の遅延を小さくすることができる。
【００７９】
また、本実施の形態によれば、ユーザ装置と基地局とを有する移動通信システムにおける前記ユーザ装置であって、前記基地局に送信すべき所定のプロトコルのデータを分割した複数セグメントのうち、前記基地局に送信できずに残る残留セグメントの量が所定の閾値以下であるか否かを判定する判定手段と、前記判定手段により、前記残留セグメントの量が前記所定の閾値以下であると判定された場合に、前記残留セグメントを、前記基地局に送信すべき他のデータよりも優先して前記基地局に送信するための制御を行う優先度制御手段とを備えるユーザ装置が提供される。
【００８０】
上記のユーザ装置は、前記残留セグメントが発生してから、当該残留セグメントが前記基地局に送信されずに所定の期間が経過した場合に、前記基地局に当該事象を通知する通知手段を備えることとしてもよい。この構成により、基地局は、ユーザ装置側に所定期間未送信のデータがあることを把握でき、当該データを送信させるためのリソース割り当てを行うことができる。
【００８１】
また、本実施の形態によれば、ユーザ装置と基地局とを有する移動通信システムであって、前記ユーザ装置は、前記基地局に送信すべき所定のプロトコルのデータを分割した複数セグメントのうち、前記基地局に送信できずに残る残留セグメントの量に関する情報を前記基地局に通知する通知手段を備え、前記基地局は、前記ユーザ装置から受信する前記残留セグメントの量に関する情報に基づいて、前記ユーザ装置に対する上り送信のスケジューリングの優先度を決定する制御手段を備える移動通信システムが提供される。
【００８２】
例えば、前記所定のプロトコルのデータは、ＰＤＣＰ  ＰＤＵのデータであり、前記通知手段は、前記残留セグメントの量に関する情報をＲＬＣヘッダに格納し、当該ＲＬＣヘッダを有するＲＬＣ  ＰＤＵを前記基地局に送信する。この構成により、ＬＴＥ方式のユーザ装置ＵＥが、残留セグメントの量に関する情報を迅速に基地局に通知でき、基地局は当該情報に基づき、残留セグメントを送信させるための優先度制御を行うことができる。
【００８３】
本実施の形態で説明するユーザ装置ＵＥの構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００８４】
本実施の形態で説明する基地局ｅＮＢの構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００８５】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００８６】
ｅＮＢ  基地局
ＵＥ  ユーザ装置
１０１  ＤＬ信号送信部
１０２  ＵＬ信号受信部
１０３  スケジューリング部
１０４  優先度決定部
１０５  残りセグメント量検出部
２０１  ＵＬ信号送信部
２０２  ＤＬ信号送信部
２０３  残りセグメント量判定部
２０４  残りセグメント情報通知部
２０５  優先度変更部
【図１】
2016005254.tif 000003
【図２】
2016005254.tif 000004
【図３】
2016005254.tif 000005
【図４】
2016005254.tif 000006
【図５】
2016005254.tif 000007
【図６】
2016005254.tif 000008
【図７】
2016005254.tif 000009
【図８】
2016005254.tif 000010
【図９】
2016005254.tif 000011
【図１０】
2016005254.tif 000012
【図１１】
2016005254.tif 000013
【図１２】
2016005254.tif 000014
【図１３】
2016005254.tif 000015
【図１４】
2016005254.tif 000016
【図１５】
2016005254.tif 000017
【図１６】
2016005254.tif 000018